(57)【特許請求の範囲】
【請求項１】
湾曲させたバンドの左右の先端にそれぞれユニットが設けられた筐体を有し、ユーザの首に掛けて装着されるウェアラブル端末であって、
前記ユニットの先端に設けられた、レンズの角度を調整可能な撮影部と、
前記ユーザの前傾姿勢をセンサの検出結果に基づいて取得する取得部と、
前記ユーザの前方を撮影するように前記レンズの角度を前記前傾姿勢に応じて上方向に変えることによって、前記撮影部が撮影する画像の画角を制御する制御部と
を備えるウェアラブル端末。
【請求項２】
前記制御部は、さらに、前記レンズの焦点距離を変えることによって、前記画角を制御する
請求項１に記載のウェアラブル端末。
【請求項３】
前記撮影部は、前記ユニットの先端に形成された開口の内側に配置される
請求項１または２に記載のウェアラブル端末。
【請求項４】
前記制御部は、撮影を行わない場合、前記レンズが前記開口から露出しないように前記撮影部を制御する
請求項３に記載のウェアラブル端末。
【請求項５】
前記制御部は、前記ウェアラブル端末の姿勢にも基づいて、前記画角を制御する
請求項１乃至４のいずれかに記載のウェアラブル端末。
【請求項６】
前記制御部は、前記ウェアラブル端末の移動の速さにも基づいて、前記画角を制御する
請求項１乃至５のいずれかに記載のウェアラブル端末。
【請求項７】
前記センサは、慣性センサである
請求項１乃至６のいずれかに記載のウェアラブル端末。
【請求項８】
前記センサは、生体センサである
請求項１乃至６のいずれかに記載のウェアラブル端末。
【請求項９】
前記ユニットに設けられたマイクロフォンをさらに備え、
前記制御部は、前記ユーザにより入力された音声コマンドに従って前記撮影部による撮影を制御する
請求項１乃至８のいずれかに記載のウェアラブル端末。
【請求項１０】
前記制御部は、前記撮影部による撮影を、前記音声コマンドに応じた撮影モードで行わせる
請求項９に記載のウェアラブル端末。
【請求項１１】
左右の前記ユニットのそれぞれに設けられ、音楽、または前記撮影部による撮影の効果音を出力するスピーカをさらに備える
請求項１乃至１０のいずれかに記載のウェアラブル端末。
【請求項１２】
湾曲させたバンドの左右の先端にそれぞれユニットが設けられた筐体を有し、ユーザの首に掛けて装着される、レンズの角度を調整可能な撮影部が前記ユニットの先端に設けられたウェアラブル端末が、
前記ユーザの前傾姿勢をセンサの検出結果に基づいて取得し、
前記ユーザの前方を撮影するように前記レンズの角度を前記前傾姿勢に応じて上方向に変えることによって、前記撮影部が撮影する画像の画角を制御する
制御方法。
【請求項１３】
湾曲させたバンドの左右の先端にそれぞれユニットが設けられた筐体を有し、ユーザの首に掛けて装着される、レンズの角度を調整可能な撮影部が前記ユニットの先端に設けられたウェアラブル端末を制御するコンピュータに、
前記ユーザの前傾姿勢をセンサの検出結果に基づいて取得し、
前記ユーザの前方を撮影するように前記レンズの角度を前記前傾姿勢に応じて上方向に変えることによって、前記撮影部が撮影する画像の画角を制御する
処理を実行させるプログラム。
【発明の詳細な説明】
【技術分野】
【０００１】
本技術は、ウェアラブル端末、制御方法、およびプログラムに関し、特に、ユーザの行動に応じた画角の画像を取得することができるようにしたウェアラブル端末、制御方法、およびプログラムに関する。
【背景技術】
【０００２】
近年、ユーザが体に装着可能ないわゆるウェアラブル端末が注目されている。ウェアラブル端末の種類には腕時計型、眼鏡型、指輪型などがある。ウェアラブル端末には、ジャイロセンサ、生体センサなどの各種のセンサに加えて、ディスプレイやカメラなどを搭載しているものもある。
【０００３】
ユーザは、ウェアラブル端末を用いることにより、ディスプレイに表示された情報を確認したり、センサによる検出結果やカメラによる撮影結果を用いたいわゆるライフログを記録したりすることができる。
【先行技術文献】
【特許文献】
【０００４】
【特許文献１】特開２００９−１１８１３５号公報
【発明の概要】
【発明が解決しようとする課題】
【０００５】
カメラを搭載したウェアラブル端末により撮影を行う場合、それを装着するユーザの姿勢や環境などに応じて画角が変わってしまう。
【０００６】
また、カメラを搭載したウェアラブル端末を装着しているユーザの近くにいる人は、カメラの存在に気付いたとき、自分が撮影されているのではないのかと気になることがある。
【０００７】
本技術はこのような状況に鑑みてなされたものであり、ユーザの行動に応じた画角の画像を取得することができるようにするものである。
【課題を解決するための手段】
【０００８】
本技術の一側面の情報処理装置は、湾曲させたバンドの左右の先端にそれぞれユニットが設けられた筐体を有し、ユーザの首に掛けて装着されるウェアラブル端末であって、前記ユニットの先端に設けられた、レンズの角度を調整可能な撮影部と、前記ユーザの前傾姿勢をセンサの検出結果に基づいて取得する取得部と、前記ユーザの前方を撮影するように前記レンズの角度を前記前傾姿勢に応じて上方向に変えることによって、前記撮影部が撮影する画像の画角を制御する制御部とを備える。
【０００９】
前記制御部には、さらに、前記レンズの焦点距離を変えることによって、前記画角を制御させることができる。
【００１８】
前記制御部には、前記ウェアラブル端末の姿勢にも基づいて、前記画角を制御させることができる。前記制御部には、前記ウェアラブル端末の移動の速さにも基づいて、前記画角を制御させることができる。
【００１９】
本技術の一側面においては、前記ユーザの前傾姿勢がセンサの検出結果に基づいて取得され、前記ユーザの前方を撮影するように前記レンズの角度を前記前傾姿勢に応じて上方向に変えることによって、前記撮影部が撮影する画像の画角が制御される。
【発明の効果】
【００２０】
本技術によれば、ユーザの行動に応じた画角の画像を取得することができる。
【００２１】
なお、ここに記載された効果は必ずしも限定されるものではなく、本開示中に記載されたいずれかの効果であってもよい。
【図面の簡単な説明】
【００２２】
【図１】本技術の一実施形態に係る情報処理端末の外観の構成例を示す図である。
【図２】情報処理端末の装着例を示す図である。
【図３】右側ユニットの先端の拡大図である。
【図４】撮影角度を示す図である。
【図５】ユーザの姿勢について説明する図である。
【図６】ユーザの姿勢について説明する他の図である。
【図７】右側ユニットの先端の拡大図である。
【図８】カメラブロックの構造を示す図である。
【図９】カメラブロックの構造を示す斜視図である。
【図１０】カメラブロックの構造を他の方向から見た図である。
【図１１】カメラブロックの構造を他の方向から見た図である。
【図１２】静止画撮影モードの撮影シーケンスの例を示す図である。
【図１３】静止画連写モードの撮影シーケンスの例を示す図である。
【図１４】インターバル撮影モードの撮影シーケンスの例を示す図である。
【図１５】オート撮影モードの撮影シーケンスの例を示す図である。
【図１６】動画撮影モードの撮影シーケンスの例を示す図である。
【図１７】情報処理端末の内部の構成例を示すブロック図である。
【図１８】情報処理端末の機能構成例を示すブロック図である。
【図１９】制御情報の例を示す図である。
【図２０】情報処理端末の撮影処理について説明するフローチャートである。
【図２１】制御システムの例を示す図である。
【図２２】制御システムの他の例を示す図である。
【図２３】電子的な画角制御の例を示す図である。
【図２４】情報処理端末の形状の例を示す図である。
【図２５】雲台の例を示す図である。
【図２６】情報処理端末の外観を示す図である。
【図２７】情報処理端末の外観を示す図である。
【図２８】情報処理端末の外観を示す斜視図である。
【図２９】右側ユニットの内部の構成例を示す図である。
【図３０】左側ユニットの内部の構成例を示す図である。
【図３１】各構成の配置の例を示す図である。
【図３２】基板ブロックを示す図である。
【図３３】基板ブロックの基板構造を示す図である。
【図３４】GPSアンテナの配線例を示す図である。
【図３５】GPSアンテナの接続例を示す図である。
【図３６】BT/Wi-Fiアンテナの配線例を示す図である。
【図３７】BT/Wi-Fiアンテナの接続例を示す図である。
【図３８】コンピュータの構成例を示すブロック図である。
【発明を実施するための形態】
【００２３】
以下、本技術を実施するための形態について説明する。説明は以下の順序で行う。
１．情報処理端末の外観
２．カメラブロックの構造
３．撮影モード
４．情報処理端末の内部構成と動作
５．変形例
６．情報処理端末の構造の詳細
７．その他
【００２４】
＜＜１．情報処理端末の外観＞＞
図１は、本技術の一実施形態に係る情報処理端末の外観の構成例を示す図である。
【００２５】
図１に示すように、情報処理端末１は、全体的に、正面視において略Ｃ型の外観形状を有するウェアラブル端末である。情報処理端末１は、薄い板状部材を湾曲させてなるバンド部１１の左右の先端寄りの内側に、それぞれ、右側ユニット１２と左側ユニット１３が設けられることによって構成される。
【００２６】
図１の左側に示す右側ユニット１２は、バンド部１１の厚みより正面視において太幅の筐体を有しており、バンド部１１の内側の面から膨出するように形成される。
【００２７】
一方、右側に示す左側ユニット１３は、バンド部１１前方の開口を挟んで、右側ユニット１２と略対称となる形状を有する。左側ユニット１３は、右側ユニット１２と同様に、バンド部１１の厚みより正面視において太幅の筐体を有しており、バンド部１１の内側の面から膨出するように形成される。
【００２８】
このような外観を有する情報処理端末１は、図２に示すように首に掛けて装着される。装着時、バンド部１１の最奥部の内側がユーザの首の後ろに当たり、情報処理端末１は前傾した姿勢になる。ユーザから見て、右側ユニット１２はユーザの首元の右側に位置し、左側ユニット１３はユーザの首元の左側に位置することになる。
【００２９】
後に詳述するように、情報処理端末１は、撮影機能、音楽再生機能、無線通信機能、センシング機能などを有している。
【００３０】
ユーザは、情報処理端末１を装着した状態で右側ユニット１２に設けられたボタンを例えば右手で操作し、左側ユニット１３に設けられたボタンを例えば左手で操作することで、それらの機能を実行させることができる。また、情報処理端末１には音声認識機能も搭載されている。ユーザは、発話によって情報処理端末１を操作することもできる。
【００３１】
情報処理端末１の音楽再生機能によって右側ユニット１２に設けられたスピーカから出力された音楽は主にユーザの右耳に届き、左側ユニット１３に設けられたスピーカから出力された音楽は主にユーザの左耳に届く。
【００３２】
ユーザは、情報処理端末１を装着し、音楽を聴きながら、ランニングをしたり自転車に乗ったりすることができる。音楽ではなく、ネットワークを介して取得されたニュースなどの各種の情報の音声が出力されるようにしてもよい。
【００３３】
このように、情報処理端末１は、軽度な運動中に利用されることを想定した端末である。イヤホンなどを装着して耳を塞ぐわけではないから、ユーザは、スピーカから出力される音楽とともに周囲の音を聴くことができる。
【００３４】
図１の説明に戻り、右側ユニット１２と左側ユニット１３の先端には円弧面状となる曲面が形成される。右側ユニット１２の先端には、上面前方寄りの位置から先端の曲面の上方寄りの位置にかけて略縦長長方形の開口部１２Ａが形成されている。開口部１２Ａは左上隅を凹ませた形状を有しており、その凹ませた位置にはLED(Light Emitting Diode)２２が設けられる。
【００３５】
開口部１２Ａには、アクリルなどよりなる透明のカバー２１が嵌め込まれる。カバー２１の表面は、左側ユニット１３の先端の曲面と略同一の曲率の曲面を形成する。カバー２１の奥には、右側ユニット１２の内部に設けられたカメラモジュールのレンズ３１が配置される。カメラモジュールの撮影方向は、情報処理端末１を装着しているユーザから見て、ユーザの前方となる。
【００３６】
ユーザは、情報処理端末１を装着し、上述したように音楽を聴いてランニングをしたり自転車に乗ったりしながら、前方の風景を動画や静止画として撮影することができる。また、ユーザは、そのような撮影を、後に詳述するような音声コマンドによってハンズフリーで行うことができる。
【００３７】
図３は、右側ユニット１２の先端を拡大して示す図である。
【００３８】
情報処理端末１は、図３Ａおよび図３Ｂに示すように、レンズ３１の角度を上下方向に変え、撮影する画像の画角（撮影範囲）を制御することができる。図３Ａは、レンズ３１が下向きの状態を示し、図３Ｂは、レンズ３１が上向きの状態を示す。
【００３９】
すなわち、レンズ３１が設けられたカメラモジュールは、電動による角度調整が可能な状態で右側ユニット１２の内部に取り付けられている。
【００４０】
図４は、撮影角度を示す図である。
【００４１】
破線矢印＃１は、情報処理端末１の側面（バンド部１１の側面）の中心を通る矢印である。破線矢印＃１、実線矢印＃２，＃３で示すように、上下方向の任意の角度にレンズ３１の角度を調整することが可能とされる。図４において、情報処理端末１を斜めの状態で示していることは、情報処理端末１が装着状態であることを示す。
【００４２】
このようなカメラモジュールの角度調整機能は、ユーザの行動状態に応じて最適な画角の画像を得るために用いられる。
【００４３】
図５は、情報処理端末１を装着しているユーザの姿勢について説明する図である。
【００４４】
図５Ａは徒歩状態を示し、図５Ｂはユーザがスポーツタイプの自転車に乗っている状態を示す。情報処理端末１の角度は、情報処理端末１を装着しているユーザの行動状態に応じて変化する。
【００４５】
すなわち、徒歩状態のユーザの上半身は略直立の姿勢になっているのに対し、自転車に乗っている状態のユーザの上半身は前傾の姿勢になっており、後者の方が、情報処理端末１の姿勢もより前傾する。このことは、仮にカメラモジュールの角度を固定にした場合、画角の方向が、ユーザの行動状態に応じて変化することを表す。
【００４６】
例えば、徒歩状態のときと自転車に乗っている状態のときとでは、カメラモジュールの角度はそれぞれ異なる角度に調整される。それぞれの行動状態に対して、最適な画角の画像を得るためのカメラモジュールの角度が設定されている。徒歩状態は、直立状態ということもできる。直立状態には、直立して歩行している状態だけでなく、直立して略停止している状態、直立して走行している状態も含まれる。また、自転車に乗っている状態には、自転車に乗って走行している状態だけでなく、自転車に乗って停止している状態も含まれる。
【００４７】
情報処理端末１は、ユーザの行動状態を取得し（ユーザの行動状態を示す情報を取得し）、取得した行動状態に応じて、カメラモジュールの角度をユーザの操作によらずに自動的に調整してから撮影を行う。例えば、情報処理端末１は、ユーザが自転車に乗っていることを取得した場合、カメラモジュールの角度を図６の矢印＃３で示す角度に調整する。
【００４８】
図６は、情報処理端末１を装着しているユーザがスポーツタイプの自転車に乗っているときの上半身を側面から示す概念図である。この場合、破線矢印＃１で示す角度を０度とすると、５０度だけ上に向けた矢印＃３で示す角度が、自転車に乗っているときの、最適な画角の画像を得るためのカメラモジュールの角度になる。
【００４９】
ユーザの行動状態は、例えば、情報処理端末１に内蔵されているセンサの出力に基づいて、情報処理端末１により取得される。情報処理端末１には、加速度センサ、ジャイロセンサ、電子コンパス、気圧センサ、測位センサ（GPS）などの各種のセンサが設けられている。
【００５０】
このように、情報処理端末１は、行動状態に応じてカメラモジュールの角度を調整することにより、一つの単位として得られる画像の撮影範囲を変化させ、行動状態に応じた最適な画角の画像を取得することができる。なお、ここでいう一つの単位には、静止画の一枚、動画の１フレームが含まれる。
【００５１】
また、情報処理端末１は、撮影を行わない場合、図７に示すように、カメラモジュールの角度を変え、レンズ３１を隠すことができる。図７に示す状態は、レンズ３１が開口部１２Ａから露出していない状態であり、外からは、カメラモジュールと一体的に回動するカメラカバーのみが確認できる。
【００５２】
これにより、情報処理端末１を装着しているユーザの近くにいる人は、自分が撮影されているといった不安を感じないで済む。仮にレンズ３１が露出したままの場合、撮影が行われていなかったとしても、情報処理端末１を装着しているユーザの近くにいる人はレンズ３１の存在が気になってしまう。撮影を行っていないときにレンズ３１を隠す構成は、他人に不安を与えるのを防ぎ、プライバシーに配慮した構成といえる。
【００５３】
カメラモジュールの角度、すなわちレンズ３１の光軸の角度を変えることによって画像の画角を制御するものとしているが、レンズ３１がズームレンズである場合、レンズ３１の焦点距離を変えることによって、画角を制御するようにしてもよい。当然、光軸の角度と焦点距離の両方を変えることによって画角を制御することも可能である。光学的には、画像の撮影範囲は、レンズ３１の光軸の角度と焦点距離によって規定される。
【００５４】
＜＜２．カメラブロックの構造＞＞
図８は、カメラブロックの構造を示す図である。上述したカメラモジュール、レンズ３１などがカメラブロックに含まれる。
【００５５】
右側ユニット１２のカバー２１の内側には、薄板状の部材を湾曲させたカメラカバー５１が設けられる。カメラカバー５１は、開口部１２Ａから内部が見えないようにするためのものである。カメラカバー５１には開口部５１Ａが形成されており、開口部５１Ａにはレンズ３１が現れる。カメラカバー５１は、カメラモジュール５２の角度が調整されること合わせて回動する。
【００５６】
カメラモジュール５２は、略直方体状の本体を有し、上面にレンズ３１を取り付けることによって構成される。カメラモジュール５２は、回動軸が形成されたフレーム（図９等）に固定される。
【００５７】
カメラモジュール５２の後方には、傘歯歯車５３および傘歯歯車５４が歯を嵌合させて設けられる。傘歯歯車５３および傘歯歯車５４は、後方にあるモータ５５の動力を、カメラモジュール５２が固定されたフレームに伝達する。
【００５８】
モータ５５はステッピングモータであり、制御信号に応じて傘歯歯車５４を回転させる。ステッピングモータを用いることにより、カメラブロックの小型化を実現することができる。モータ５５が発生した動力は、傘歯歯車５４、傘歯歯車５３を介して、カメラモジュール５２が固定されたフレームに伝達し、これにより、カメラモジュール５２と、それと一体のレンズ３１およびカメラカバー５１が、フレームの軸を中心として回動する。
【００５９】
図９は、カメラブロックの構造を示す斜視図である。
【００６０】
例えばユーザが徒歩状態のとき、カメラモジュール５２の角度は図９Ａに示す角度に調整される。図９Ａに示す角度は、例えばカメラカバー５１をクローズにした状態を基準とすると、最大の回動角度である。
【００６１】
カメラモジュール５２の後方には、軸５６Ａを中心として回動するカメラフレーム５６が設けられる。カメラモジュール５２はカメラフレーム５６に取り付けられる。
【００６２】
図９Ａの状態から角度を上向きにした場合、カメラモジュール５２の向きは図９Ｂに示す状態になる。例えばユーザが自転車に乗っている状態のとき、カメラモジュール５２の角度は図９Ｂに示す角度に調整される。図９Ｂに示す状態は、カメラモジュール５２の角度が図６を参照して説明した５０度の状態である。
【００６３】
図９Ｂの状態から角度をさらに上向きとし、カメラカバー５１をクローズにした場合、カメラモジュール５２の向きは図９Ｃに示す状態になる。図９Ｃの状態のとき、開口部１２Ａからは、カバー２１を通してカメラカバー５１のみが見え、レンズ３１は見えない。例えば、カメラモジュール５２の駆動は図９Ｃのクローズ状態から開始される。
【００６４】
カメラモジュール５２の角度調整はこのようにして行われる。カメラモジュール５２がいずれの角度にある場合であっても、カバー２１の内側の面とレンズ３１の距離は常に一定である。
【００６５】
図１０および図１１は、カメラブロックの構造を他の方向から見た図である。
【００６６】
図１０は、カメラモジュール５２の状態が図９Ａの状態にある場合の各構成を示す。
【００６７】
図１０に示すように、カメラカバー５１の形状は、側面視において略半円形状となる。カメラカバー５１とカメラフレーム５６の間を通して、フレキシブル配線６１がカメラモジュール５２に接続される。フレキシブル配線６１は、可撓性を有する素材よりなり、カメラモジュール５２と右側ユニット１２内の基板との間の信号の送受信を行う。
【００６８】
カメラモジュール５２の回動に伴う劣化や断線を防ぐため、フレキシブル配線６１の長さは、カメラモジュール５２と基板間の距離にゆとりを持たせた長さとされる。図１０の状態において、フレキシブル配線６１は、カメラモジュール５２の後方の位置で緩やかに谷折り状に折れ曲がる。
【００６９】
図１１は、カメラモジュール５２の状態が図９Ｂの状態にある場合の各構成を示す。
【００７０】
図１１Ａおよび図１１Ｂに示すように、この場合、カメラフレーム５６が略水平となり、フレキシブル配線６１の撓みが大きくなる。図１１Ａに示すように、フレキシブル配線６１の撓みを横から見た場合、その形状は略Ｓ字状になる。
【００７１】
以上においては、カメラモジュール５２の角度を上下方向にのみ調整することができるものとしたが、左右方向に調整することができるようにしてもよい。
【００７２】
＜＜３．撮影モード＞＞
ここで、情報処理端末１の撮影モードについて説明する。
【００７３】
情報処理端末１には、例えば、静止画撮影モード、静止画連写モード、インターバル撮影モード、オート撮影モード、および動画撮影モードの各撮影モードが用意される。ユーザは、所定の撮影モードを選択し、撮影を行うことができる。
【００７４】
＜３−１．静止画撮影モードの例＞
図１２は、静止画撮影モードの撮影シーケンスの例を示す図である。
【００７５】
静止画撮影モードは、静止画の撮影を１回行うモードである。図１２の横軸は時刻を表す。図１３以降においても同様である。
【００７６】
時刻ｔ１において、情報処理端末１は、マイクロフォンにより集音されたユーザの音声に基づいて、静止画撮影モードのトリガとなる音声コマンドを検出する。図１２の例においては、静止画撮影モードのトリガとなる音声は「hey take a picture」とされている。すなわち、ユーザは、ボタン操作によらずに、音声によって、静止画撮影モードを起動させることができる。
【００７７】
静止画撮影モードのトリガとなる音声コマンドを検出した場合、時刻ｔ２において、情報処理端末１は、効果音とともに「take a picture」などの音声をスピーカから出力させる。また、情報処理端末１は、LED２２の発光を開始する。LED２２の発光は時刻ｔ５まで続けられる。LED２２が発光することにより、撮影が行われていることをユーザや周りの人に知らせることができる。
【００７８】
時刻ｔ３において、情報処理端末１は、カメラカバー５１をオープンにする。情報処理端末１は、カメラモジュール５２を回動させてカメラカバー５１をオープンにすることにより、カメラモジュール５２を初期状態する。カメラカバー５１をオープンにすることにより、レンズ３１が外から見える状態になる。
【００７９】
時刻ｔ４において、情報処理端末１は、カメラモジュール５２の角度調整を行う。すなわち、情報処理端末１は、各種のセンサによる検出結果に基づいてユーザの行動状態を取得する。また、情報処理端末１は、取得した行動状態に応じてカメラモジュール５２の角度を調整する。
【００８０】
なお、レンズ３１の光軸の方向が常に水平方向になるようにカメラモジュール５２の角度が調整されるようにしてもよい。この場合、情報処理端末１は、加速度センサやジャイロセンサなどに基づいて情報処理端末１の姿勢を検出し、検出した姿勢に応じてカメラモジュール５２の角度を調整することになる。
【００８１】
時刻ｔ５において、情報処理端末１は、カメラモジュール５２を制御し、撮影を行う。情報処理端末１は撮影に合わせて効果音をスピーカから出力する。カメラモジュール５２の角度が行動状態に応じた角度に調整されているため、撮影によって取得された画像は、最適な画角の画像になる。情報処理端末１は、撮影によって得られた画像（静止画）を内部のメモリに保存する。
【００８２】
時刻ｔ６において、情報処理端末１は、カメラモジュール５２の角度を戻し、時刻ｔ７においてカメラカバー５１をクローズにする。カメラカバー５１をクローズにすることにより、レンズ３１が外から見えない状態になる。
【００８３】
静止画撮影モードによる撮影は、ユーザの発話をトリガとして以上のようにして行われる。ユーザは、例えば自転車に乗りながら声を発することで、走行中の前方の風景を撮影することができる。
【００８４】
＜３−２．静止画連写モードの例＞
図１３は、静止画連写モードの撮影シーケンスの例を示す図である。
【００８５】
静止画連写モードは、静止画の撮影を続けて３回行うモードである。
【００８６】
時刻ｔ１１において、情報処理端末１は、ユーザの音声に基づいて、静止画連写モードのトリガとなる音声コマンドを検出する。図１３の例においては、静止画連写モードのトリガとなる音声は「hey take 3 picture」とされている。
【００８７】
静止画連写モードのトリガとなる音声コマンドを検出した場合、時刻ｔ１２において、情報処理端末１は、効果音とともに「take 3 picture」などの音声をスピーカから出力させる。また、情報処理端末１は、LED２２の発光を開始する。LED２２の発光は、３回目の撮影が終わる時刻ｔ１８まで続けられる。
【００８８】
時刻ｔ１３において、情報処理端末１は、カメラカバー５１をオープンにする。
【００８９】
時刻ｔ１４において、情報処理端末１は、ユーザの行動状態を取得し、カメラモジュール５２の角度調整を行う。
【００９０】
時刻ｔ１５において、情報処理端末１は、カメラモジュール５２を制御し、１回目の撮影を行う。また、情報処理端末１は撮影に合わせて効果音をスピーカから出力する。情報処理端末１は、撮影によって得られた１枚目の画像を内部のメモリに保存する。
【００９１】
時刻ｔ１６および時刻ｔ１７において、情報処理端末１は、それぞれ、２回目、３回目の撮影を行う。情報処理端末１は、撮影によって得られた２枚目の画像と３枚目の画像を内部のメモリに保存する。例えば、各撮影は一定の時間間隔で行われる。
【００９２】
時刻ｔ１９において、情報処理端末１は、カメラモジュール５２の角度を戻し、時刻ｔ２０においてカメラカバー５１をクローズにする。
【００９３】
静止画連写モードによる３回の撮影は、ユーザの発話をトリガとして以上のようにして行われる。静止画連写モードによって撮影が４回以上行われるようにしてもよい。ユーザが発話によって指示した回数だけ、撮影が繰り返されるようにしてもよい。
【００９４】
＜３−３．インターバル撮影モードの例＞
図１４は、インターバル撮影モードの撮影シーケンスの例を示す図である。
【００９５】
インターバル撮影モードは、設定された枚数の静止画を一定時間毎に繰り返し撮影するモードである。撮影間隔と撮影枚数が予め設定されている。
【００９６】
時刻ｔ３１において、情報処理端末１は、ユーザの音声に基づいて、インターバル撮影モードのトリガとなる音声コマンドを検出する。図１４の例においては、インターバル撮影モードのトリガとなる音声は「hey interval rec」とされている。
【００９７】
インターバル撮影モードのトリガとなる音声コマンドを検出した場合、時刻ｔ３２において、情報処理端末１は、効果音とともに「start interval」などの音声をスピーカから出力させる。また、情報処理端末１は、LED２２の発光を開始する。LED２２の発光は、１回目の撮影が終わる時刻ｔ３６まで続けられる。
【００９８】
時刻ｔ３３において、情報処理端末１は、カメラカバー５１をオープンにする。
【００９９】
時刻ｔ３４において、情報処理端末１は、ユーザの行動状態を取得し、カメラモジュール５２の角度調整を行う。
【０１００】
時刻ｔ３５において、情報処理端末１は、カメラモジュール５２を制御し、１回目の撮影を行う。また、情報処理端末１は撮影に合わせて効果音をスピーカから出力する。情報処理端末１は、撮影によって得られた１枚目の画像を内部のメモリに保存する。
【０１０１】
設定時間後の時刻ｔ３７において、情報処理端末１は、２回目の撮影を行う。情報処理端末１は、撮影によって得られた画像を内部のメモリに保存する。また、情報処理端末１は、撮影が終わる時刻ｔ３８までLED２２を発光させる。このような撮影が、所定の時間間隔で繰り返される。
【０１０２】
２回目以降の撮影時のカメラモジュール５２の角度は、１回目の撮影時の角度と同じ角度であってもよいし、それぞれの撮影時におけるユーザの行動状態に応じて再度調整されるようにしてもよい。
【０１０３】
時刻ｔ３９において、情報処理端末１は最後の撮影を行う。情報処理端末１は、撮影によって得られた画像を内部のメモリに保存する。また、情報処理端末１は、撮影が終わる時刻ｔ４０までLED２２を発光させる。
【０１０４】
時刻ｔ４１において、情報処理端末１は、カメラモジュール５２の角度を戻し、時刻ｔ４２においてカメラカバー５１をクローズにする。
【０１０５】
インターバル撮影モードによる複数回の撮影は、ユーザの発話をトリガとして以上のようにして行われる。ユーザは、インターバル撮影モードを用いて、所定時間毎の風景を撮影することができる。
【０１０６】
＜３−４．オート撮影モードの例＞
図１５は、オート撮影モードの撮影シーケンスの例を示す図である。
【０１０７】
オート撮影モードは、所定の行動状態が取得されたときに撮影を開始するモードである。撮影間隔と撮影枚数が予め設定されている。また、オート撮影モードでの撮影のトリガとなる行動状態の種類も予め設定されている。情報処理端末１は、オート撮影モードが設定されている場合、ユーザの行動状態を取得する処理を繰り返し行う。
【０１０８】
時刻ｔ５１において、情報処理端末１は、ユーザの行動状態として、サイクリング（自転車に乗っている）やランニングなどの予め設定された行動状態を取得する。これにより、オート撮影モードによる撮影が開始される。ユーザは、所定の行動をとるだけで撮影を開始させることができる。
【０１０９】
インターバル撮影モードのトリガとなる行動状態を取得した場合、時刻ｔ５２において、情報処理端末１は、効果音とともに「start auto photo」などの音声をスピーカから出力させる。また、情報処理端末１は、LED２２の発光を開始する。LED２２の発光は、１回目の撮影が終わる時刻ｔ５６まで続けられる。
【０１１０】
時刻ｔ５３において、情報処理端末１は、カメラカバー５１をオープンにする。
【０１１１】
時刻ｔ５４において、情報処理端末１は、時刻ｔ５１で特定したユーザの行動状態に応じてカメラモジュール５２の角度調整を行う。
【０１１２】
時刻ｔ５５において、情報処理端末１は、カメラモジュール５２を制御し、１回目の撮影を行う。また、情報処理端末１は撮影に合わせて効果音をスピーカから出力する。情報処理端末１は、撮影によって得られた１枚目の画像を内部のメモリに保存する。
【０１１３】
設定時間後の時刻ｔ５７において、情報処理端末１は、２回目の撮影を行う。情報処理端末１は、撮影によって得られた画像を内部のメモリに保存する。また、情報処理端末１は、撮影が終わる時刻ｔ５８までLED２２を発光させる。このような撮影が、所定の時間間隔で繰り返される。
【０１１４】
例えば、ユーザの行動状態として、時刻ｔ５１で取得された行動状態と異なる行動状態が取得された場合、オート撮影モードによる撮影は終了となる。
【０１１５】
時刻ｔ５１で特定された行動状態と異なる行動状態が取得された場合、時刻ｔ５９において、情報処理端末１は、カメラモジュール５１の角度を戻し、時刻ｔ６０においてカメラカバー５１をクローズにする。
【０１１６】
オート撮影モードによる撮影は、ユーザの行動状態をトリガとして以上のようにして行われる。ユーザは、自転車に乗るなどの予め設定しておいた行動をとることで、その行動をとっている間の風景を繰り返し撮影することができる。
【０１１７】
＜３−５．動画撮影モードの例＞
図１６は、動画撮影モードの撮影シーケンスの例を示す図である。
【０１１８】
時刻ｔ７１において、情報処理端末１は、ユーザの音声に基づいて、動画撮影モードのトリガとなる音声コマンドを検出する。図１６の例においては、動画撮影モードのトリガとなる音声は「hey start movie」とされている。
【０１１９】
動画撮影モードのトリガとなる音声コマンドを検出した場合、時刻ｔ７２において、情報処理端末１は、効果音とともに「start movie」などの音声をスピーカから出力させる。また、情報処理端末１は、LED２２の発光を開始する。LED２２の発光は、動画の撮影が終わる時刻ｔ７６まで続けられる。
【０１２０】
時刻ｔ７３において、情報処理端末１は、カメラカバー５１をオープンにする。
【０１２１】
時刻ｔ７４において、情報処理端末１は、ユーザの行動状態を取得し、カメラモジュール５２の角度調整を行う。動画の撮影も、カメラモジュール５２の角度をユーザの行動状態に応じた角度に調整した状態で行われる。
【０１２２】
時刻ｔ７５において、情報処理端末１は、カメラモジュール５２を制御し、動画の撮影を開始する。情報処理端末１は、撮影によって得られた動画を内部のメモリに順次保存する。
【０１２３】
時刻ｔ７６において、情報処理端末１は、マイクロフォンにより集音されたユーザの音声に基づいて、動画の撮影を終了させる「hey stop movie」などの音声コマンドを検出する。
【０１２４】
情報処理端末１に設けられた所定のボタンが操作された場合、動画の撮影が５分などの所定の時間続けられた場合、または、内部のメモリの容量に空きがなくなった場合も同様に動画の撮影は終了される。
【０１２５】
時刻ｔ７７において、情報処理端末１は、カメラモジュール５２の角度を戻し、時刻ｔ７８においてカメラカバー５１をクローズにする。
【０１２６】
動画撮影モードによる動画の撮影は、ユーザの発話をトリガとして以上のようにして行われる。ユーザは、例えば自転車に乗りながら声を発することで、乗車中の前方の風景の動画を撮影することができる。
【０１２７】
＜＜４．情報処理端末の内部構成と動作＞＞
＜４−１．情報処理端末の内部構成＞
図１７は、情報処理端末１の内部の構成例を示すブロック図である。
【０１２８】
図１７において、上述した構成と同じ構成には同じ符号を付してある。重複する説明については適宜省略する。
【０１２９】
アプリケーションプロセッサ１０１は、フラッシュメモリ１０２などに記憶されているプログラムを読み出して実行し、情報処理端末１の全体の動作を制御する。
【０１３０】
アプリケーションプロセッサ１０１には、無線通信モジュール１０３、NFCタグ１０５、カメラモジュール５２、モータ５５、バイブレータ１０７、操作ボタン１０８、およびLED２２が接続される。また、アプリケーションプロセッサ１０１には、電源回路１０９、USBインタフェース１１３、および信号処理回路１１４が接続される。
【０１３１】
無線通信モジュール１０３は、外部の機器との間で、Bluetooth（登録商標）、Wi-Fiなどの所定の規格の無線通信を行うモジュールである。例えば、無線通信モジュール１０３は、ユーザが有するスマートホンなどの携帯端末と通信を行い、撮影によって得られた画像データを送信したり、音楽データを受信したりする。無線通信モジュール１０３にはBT/Wi-Fiアンテナ１０４が接続される。通信モジュール１０３は、WAN(Wide Area Network)を介した、例えば携帯電話通信（3G,4G,5Gなど）の通信をも行うことができるようにしてもよい。また、Bluetooth,Wi-Fi,WAN,NFCは、全てが実装される必要はなく、選択的に実装されてもよい。Bluetooth,Wi-Fi,WAN,NFCの通信を行うモジュールがそれぞれ別のモジュールとして設けられるようにしてもよいし、１つのモジュールとして設けられるようにしてもよい。
【０１３２】
NFC(Near Field Communication)タグ１０５は、NFCタグを有する機器が情報処理端末１に近付けられた場合、近接通信を行う。NFCタグ１０５にはNFCアンテナ１０６が接続される。
【０１３３】
バイブレータ１０７は、アプリケーションプロセッサ１０１による制御に従って振動し、電話の着信、メールの受信などをユーザに通知する。ユーザが有する携帯端末からは、電話の着信を表す情報などが送信されてくる。
【０１３４】
操作ボタン１０８は、情報処理端末１の筐体に設けられた各種のボタンである。操作ボタン１０８に対する操作の内容を表す信号はアプリケーションプロセッサ１０１に供給される。
【０１３５】
電源回路１０９には、バッテリ１１０、電源ボタン１１１、LED１１２、およびUSBインタフェース１１３が接続される。電源回路１０９は、電源ボタン１１１が操作された場合、情報処理端末１を起動させ、バッテリ１１０からの電流を各部に供給する。また、電源回路１０９は、USBインタフェース１１３を介して供給された電流をバッテリ１１０に供給し、充電時させる。
【０１３６】
USBインタフェース１１３は、USB端子に接続されたUSBケーブルを介して外部の機器と通信を行う。また、USBインタフェース１１３は、USBケーブルを介して供給された電流を電源回路１０９に供給する。
【０１３７】
信号処理回路１１４は、各種のセンサからの信号、およびアプリケーションプロセッサ１０１から供給された信号の処理を行う。信号処理回路１１４に対しては、スピーカ１１６とマイクロフォン１１７が接続される。また、信号処理回路１１４に対しては、ジャイロセンサ１１８、電子コンパス１１９、および圧力センサ１２０がバス１２１を介して接続される。
【０１３８】
例えば、信号処理回路１１４は、GPSアンテナ１１５から供給された信号に基づいて測位を行い、位置情報をアプリケーションプロセッサ１０１に出力する。すなわち、信号処理回路１１４はGPSセンサとして機能する。
【０１３９】
また、信号処理回路１１４は、各センサによる検出結果を表すセンサデータを取得し、アプリケーションプロセッサ１０１に出力する。信号処理回路１１４からは、複数のセンサによる検出結果を表すセンサデータがバス１２１を介して供給される。信号処理回路１１４は、アプリケーションプロセッサ１０１から供給されたデータに基づいて、音楽、音声、効果音などをスピーカ１１６から出力させる。
【０１４０】
マイクロフォン１１７は、ユーザの音声を検出し、信号処理回路１１４に出力する。上述したように、情報処理端末１の操作は音声によっても行うことが可能とされる。
【０１４１】
ジャイロセンサ１１８、電子コンパス１１９、および圧力センサ１２０は、それぞれ、角速度、方位、圧力を検出し、検出結果を表す信号を、バス１２１を介して信号処理回路１１４に出力する。
【０１４２】
図１７の例においては、外部の環境と情報処理端末１自身の状況を検出するセンサとして、カメラモジュール５２、マイクロフォン１１７、ジャイロセンサ１１８、電子コンパス１１９、圧力センサ１２０、およびGPSセンサ（信号処理回路１１４）が設けられているが、他のセンサが設けられるようにしてもよい。例えば、加速度センサ、気圧センサ、近接センサ、生体センサ、皮膚電動マイクロフォン、地磁気センサ、慣性センサを設けることができる。慣性センサには、振動センサ、加速度センサ、ジャイロセンサが含まれる。
【０１４３】
図１８は、情報処理端末１の機能構成例を示すブロック図である。
【０１４４】
図１８に示す機能部のうちの少なくとも一部は、図１７のアプリケーションプロセッサ１０１により所定のプログラムが実行されることによって実現される。
【０１４５】
情報処理端末１においては、行動状態取得部１３１、画角制御部１３２、および撮影制御部１３３が実現される。
【０１４６】
行動状態取得部１３１は、信号処理回路１１４から供給されたセンサデータに基づいて、ユーザの行動状態を取得する。例えば、行動状態取得部１３１は、それぞれの行動状態と、それぞれの行動をユーザがとっているときに検出されるセンサデータとを対応付けた認識用情報を有している。
【０１４７】
行動状態取得部１３１は、行動状態の取得時、認識用情報を参照し、センサデータに対応付けられている行動状態をユーザの行動状態として取得する。行動状態取得部１３１は、取得した行動状態を表す情報を画角制御部１３２に出力する。
【０１４８】
画角制御部１３２は、行動状態取得部１３１により取得された行動状態に応じてカメラモジュール５２の角度を調整し、取得される画像の画角を制御する。画角制御部１３２は、行動状態とカメラモジュール５２の角度とを対応付けた制御情報を有している。
【０１４９】
撮影制御部１３３は、カメラモジュール５２の角度調整が行われた後、カメラモジュール５２を制御し、上述した各種の撮影モードでの撮影を行う。撮影制御部１３３は、撮影によって得られた画像をフラッシュメモリ１０２に出力し、記憶させる。
【０１５０】
図１９は、行動状態と画角とを対応付けた制御情報の例を示す図である。図１９の内容を表す情報を、画角制御部１３２は制御情報として管理している。
【０１５１】
図１９の例においては、「歩き」、「走り」、「しゃがみこみ」、「椅子に座る」、「階段の昇降」、「坂道の上り下り」、「水泳」、「自転車」、「自動車」、「列車」のそれぞれの行動状態が示されている。このように、「自転車」以外の各種の乗り物に乗っている状態が行動状態として取得されるようにしてもよい。
【０１５２】
例えば、行動状態として「歩き」が取得された場合、画角制御部１３２は、重力加速度方向から上に８０度の角度となるようにカメラモジュール５２の角度を調整する。
【０１５３】
図１９の例においては、角度の基準が重力加速度方向とされているが、水平方向、図４の破線矢印＃１で示した筐体方向、カメラモジュール５２のクローズ時の角度などの、各種の基準を用いてそれぞれの角度を表すことが可能である。
【０１５４】
また、行動状態として「走り」が取得された場合、画角制御部１３２は、重力加速度方向から上に９０度の角度となるようにカメラモジュール５２の角度を調整する。
【０１５５】
レンズ３１がズームレンズである場合、角度を調整するだけでなく、レンズ３１の焦点距離を長くして、画角を狭くするようにしてもよい。画角を狭めることを光学的に実現するのではなく、撮影された画像から一部の範囲をトリミングにより切り出すことによって電子的に実現するようにしてもよい。画角制御を電子的に行うことについては後述する。
【０１５６】
単に「歩き」と「走り」の行動状態によるだけでなく、カメラモジュール５２の角度が速度に応じて調整されるようにしてもよい。
【０１５７】
行動状態として「しゃがみこみ」が取得された場合、画角制御部１３２は、重力加速度方向から上に３０度の角度となるようにカメラモジュール５２の角度を調整する。
【０１５８】
この場合、適宜、画角を狭くするための光学的または電子的な制御が行われる。しゃがむ行動をとるユーザは、近くにあり、目の高さより下にある対象に注目しているものと考えられる。カメラモジュール５２の角度を抑えることにより、ユーザが注目している対象を画角に収めた撮影が可能になる。
【０１５９】
行動状態として「椅子に座る」が取得された場合、画角制御部１３２は、重力加速度方向から上に４５度の角度となるようにカメラモジュール５２の角度を調整する。また、適宜、画角を狭くするための光学的または電子的な制御が行われる。
【０１６０】
行動状態として「階段の昇降」が取得された場合、画角制御部１３２は、レンズカバー５１をクローズとしてレンズ３１を収納し、撮影不可の状態にする。例えば階段を上っているときに撮影不可にすることにより、盗撮目的での情報処理端末１の利用を防ぐことが可能になる。
【０１６１】
行動状態として階段を昇っていることが取得された場合、画角制御部１３２は、重力加速度方向から上に１２０度の角度となるようにカメラモジュール５２の角度を調整する。撮影不可とするか、上に１２０度の角度となるように角度調整を行うかは、適宜選択されるようにしてもよい。また、行動状態として階段を降りていることが取得された場合、画角制御部１３２は、重力加速度方向から上に６０度の角度となるようにカメラモジュール５２の角度を調整する。
【０１６２】
坂道を登っていることが取得された場合、階段を昇っているときと同様の制御が行われる。また、坂道を下っていることが取得された場合、階段を降りているときと同様の制御が行われる。
【０１６３】
行動状態として遅い速度で泳いでいる状態が取得された場合、画角制御部１３２は、重力加速度方向から上に３０度の角度となるようにカメラモジュール５２の角度を調整する。情報処理端末１は防水性能を有している。
【０１６４】
また、行動状態として速い速度で泳いでいる状態が取得された場合、画角制御部１３２は、重力加速度方向から上に９０度の角度となるようにカメラモジュール５２の角度を調整する。
【０１６５】
行動状態として遅い速度で自転車を走行している状態が取得された場合、画角制御部１３２は、重力加速度方向から上に５０度の角度となるようにカメラモジュール５２の角度を調整する。
【０１６６】
また、行動状態として速い速度で自転車を走行している状態が取得された場合、画角制御部１３２は、重力加速度方向から上に５５度の角度となるようにカメラモジュール５２の角度を調整する。
【０１６７】
行動状態として自動車を運転している状態が取得された場合、画角制御部１３２は、重力加速度方向から上に８５度の角度となるようにカメラモジュール５２の角度を調整する。また、適宜、歩いているときと比べて、画角を広くするための光学的または電子的な制御が行われる。
【０１６８】
ユーザの頭の方向に連動させて、画角を左右に変えるようにしてもよい。画角を左右に変えることは、カメラモジュール５２の角度を上下だけでなく左右にも変えることができるようになっている場合には光学的に行われる。左右に変えることができるようになっていない場合、画角を左右に変えることは電子的に行われる。
【０１６９】
行動状態として列車に乗っている状態が取得された場合、画角制御部１３２は、重力加速度方向から上に８５度の角度、かつ、進行方向等の所定の方向を基準として右または左方向に５０度となるようにカメラモジュール５２の角度を調整する。行動状態として運転していないが自動車に乗っている状態が取得された場合も同様の制御が行われる。
【０１７０】
画角制御部１３２は、このような制御情報に基づいて、カメラモジュール５２の角度の調整等を行う。なお、図１９に示す角度は任意に変更可能である。「水泳」が取得された場合にレンズ３１を収納して撮影不可にするといったように、行動状態と制御内容との対応関係は任意に変更可能である。また、行動状態だけでなく、情報処理端末１の姿勢、装着位置、移動する速さなどの他の環境情報にも基づいて角度調整が行われるようにしてもよい。移動する速さは数値によって表される移動速度であってもよい。角度調整に用いる情報の組み合わせは任意である。
【０１７１】
＜４−２．情報処理端末の動作＞
次に、図２０のフローチャートを参照して、情報処理端末１の撮影処理について説明する。図２０の処理は、例えば、ユーザの発話に基づいて音声コマンドが検出されたときに開始される。
【０１７２】
ステップＳ１において、行動状態取得部１３１は、信号処理回路１１４から供給されたセンサデータに基づいてユーザの行動状態を取得する。ここでは、図１９を参照して説明したような各種の行動状態が取得される。
【０１７３】
ステップＳ２において、画角制御部１３２は、行動状態取得部１３１により取得された行動状態に応じてカメラモジュール５２の角度を調整し、取得される画像の画角を制御する。
【０１７４】
ステップＳ３において、撮影制御部１３３は、カメラモジュール５２の角度調整が行われた後、カメラモジュール５２を制御し、撮影モードに応じた撮影を行う。撮影制御部１３３は、撮影により得られた画像をフラッシュメモリ１０２に保存し、処理を終了させる。
【０１７５】
以上のように、複数種類の行動状態のそれぞれに対してカメラモジュール５２の制御内容が決められているため、情報処理端末１は、それぞれの行動状態に応じた、最適な画角の画像を得ることができる。
【０１７６】
例えば静止画撮影モードでの撮影においては、撮影を行う毎にユーザの行動状態を取得し、カメラモジュール５２の角度を調整するようになされている。従って、情報処理端末１は、筐体の姿勢やユーザの行動状態が変化した場合であっても、それに追従して、常に最適な画角の画像を撮影することが可能になる。インターバル撮影や動画撮影モードでの一回の撮影中にユーザの行動状態が周期的に取得され、カメラモジュール５２の角度がその都度調整されるようにしてもよい。
【０１７７】
さらに、ユーザは、情報処理端末１に触れずに、音声で情報処理端末１を操作することができる。すなわち、撮影時にボタンを操作する必要がある場合、操作の内容によってはその行動を中断しなければならないこともあるが、そのような必要がなく、思い立ったときに、快適に、かつ自然な撮影が可能になる。ボタンの数を抑えることができることにより、情報処理端末１の筐体の強度の確保や防水性を確保する上でも有利となる。
【０１７８】
＜＜５．変形例＞＞
＜５−１．制御システムの例＞
行動状態の取得、調整角度の決定、および角度調整の全ての処理が情報処理端末１により行われるものとしたが、行動状態の取得と調整角度の決定については、他の機器により行われるようにすることが可能である。
【０１７９】
図２１は、制御システムの例を示す図である。
【０１８０】
図２１の制御システムは、情報処理端末１と携帯端末２０１から構成される。携帯端末２０１は、情報処理端末１を装着しているユーザが携帯しているスマートホンなどの端末である。情報処理端末１と携帯端末２０１は、BluetoothやWi-Fiなどの無線通信を介して接続される。
【０１８１】
情報処理端末１は、撮影時、各センサの検出結果を表すセンサデータを携帯端末２０１に送信する。情報処理端末１から送信されてきたセンサデータを受信した携帯端末２０１は、ユーザの行動状態をセンサデータに基づいて特定し、行動状態を表す情報を情報処理端末１に送信する。
【０１８２】
情報処理端末１は、携帯端末２０１から送信されてきた情報を受信し、携帯端末２０１により特定されたユーザの行動状態を取得する。情報処理端末１は、取得した行動状態に応じた調整角度を決定し、カメラモジュール５２の角度を調整して撮影を行う。
【０１８３】
この場合、図１８の行動状態取得部１３１と同様の機能を有する構成が携帯端末２０１において実現される。また、図１８の画角制御部１３２と撮影制御部１３３は情報処理端末１において実現される。
【０１８４】
このように、少なくとも一部の処理を情報処理端末１とは異なる他の機器に行わせることも可能である。行動状態の取得だけでなく、行動状態に応じたカメラモジュール５２の調整角度を決定する処理までが、携帯端末２０１により行われるようにしてもよい。
【０１８５】
図２２は、制御システムの他の例を示す図である。
【０１８６】
図２２の制御システムは、情報処理端末１、携帯端末２０１、および制御サーバ２０２から構成される。携帯端末２０１と制御サーバ２０２は、インターネットなどのネットワーク２０３を介して接続される。
【０１８７】
携帯端末２０１がいわゆるテザリング機能を有している場合、情報処理端末１が携帯端末２０１を経由してネットワーク２０３に接続されるようにしてもよい。この場合、情報処理端末１と制御サーバ２０２の間の情報の送受信は、携帯端末２０１とネットワーク２０３を介して行われる。
【０１８８】
図２１を参照して説明した場合と同様に、情報処理端末１は、撮影時、各センサの検出結果を表すセンサデータを制御サーバ２０２に送信する。情報処理端末１から送信されてきたセンサデータを受信した制御サーバ２０２は、ユーザの行動状態をセンサデータに基づいて特定し、行動状態を表す情報を情報処理端末１に送信する。
【０１８９】
情報処理端末１は、制御サーバ２０２から送信されてきた情報を受信し、制御サーバ２０２により特定されたユーザの行動状態を取得する。情報処理端末１は、取得した行動状態に応じた調整角度を決定し、カメラモジュール５２の角度を調整して撮影を行う。
【０１９０】
この場合、図１８の行動状態取得部１３１と同様の機能を有する構成が制御サーバ２０２において実現される。図１８の画角制御部１３２と撮影制御部１３３は情報処理端末１において実現される。
【０１９１】
このように、少なくとも一部の処理を、ネットワーク２０３を介して接続される機器に行わせることも可能である。行動状態の取得だけでなく、行動状態に応じたカメラモジュール５２の調整角度を決定する処理までが、制御サーバ２０２により行われるようにしてもよい。
【０１９２】
＜５−２．画角制御を電子的に行う例＞
画角の制御を光学的に行う場合について主に説明したが、トリミングにより切り出す範囲を変えることで電子的に行うことも可能である。この場合、レンズ３１には、魚眼レンズなどの焦点距離の短いレンズが用いられる。
【０１９３】
図２３は、電子的な画角制御の例を示す図である。
【０１９４】
図２３の半円球はレンズ３１により取り込まれる全範囲を示す。位置Ｐはレンズ３１の位置を示す。なお、図２３は、切り出し範囲を変えることの概念を説明するものであり、枠の大きさ、曲率等は正確なものではない。
【０１９５】
例えば、ユーザが歩いている場合、カメラモジュール５２により撮影された半円球で示す画像全体のうち、枠Ｆ１で示す範囲の画像がトリミングにより切り出される。枠Ｆ１で示す範囲の画像が、行動状態に応じた画角の画像として取得される。
【０１９６】
また、ユーザが走っている場合、カメラモジュール５２により撮影された半円球で示す画像全体のうち、枠Ｆ２で示す範囲の画像がトリミングにより切り出される。枠Ｆ２で示す範囲の画像が、行動状態に応じた画角の画像として取得される。
【０１９７】
枠Ｆ２の範囲は枠Ｆ１の範囲より上に設定されている。これにより、ユーザが走っているとき、歩いているときより上方の範囲の画像が取得されることになる。図１９等を参照して説明したように、歩いているときと走っているときを比べた場合、後者の方が、より上方の画角の画像が取得される。
【０１９８】
また、枠Ｆ２の範囲は枠Ｆ１の範囲より狭い範囲である。トリミングにより切り出す範囲を狭くすることによって、ズームレンズの焦点距離を変えるときと同様に画角を制御することができる。
【０１９９】
このように、画角の制御を電子的に行うことにより、カメラモジュール５２の角度を調整するための機構を設ける必要がなく、情報処理端末１の小型化を実現することができる。光学的な画角制御と電子的な画角制御とを組み合わせて用いることも可能である。
【０２００】
＜５−３．行動状態の特定の例＞
センサデータに基づいて行動状態を取得するものとしたが、行動状態の取得方法は任意に変更可能である。
【０２０１】
・位置情報を用いた例
GPSセンサとしての信号処理回路１１４により検出された位置情報に基づいてユーザの行動状態が取得されるようにしてもよい。この場合、行動状態取得部１３１は、位置情報と行動状態とを対応付けた情報を管理している。
【０２０２】
行動状態取得部１３１が管理する情報においては、例えば、公園の位置情報と行動状態としてのランニング（「走り」）が対応付けられる。また、自宅の位置情報と座っていることが対応付けられ、自宅と最寄り駅の間の道路上の位置情報と歩いていることが対応付けられる。
【０２０３】
行動状態取得部１３１は、撮影時に測定された現在位置と対応付けて管理している行動状態を、ユーザの現在の行動状態として取得する。これにより、情報処理端末１は、現在位置を測定することでユーザの行動状態を取得することができる。
【０２０４】
・接続先の情報を用いた例
無線通信の接続先の機器に基づいてユーザの行動状態が特定されるようにしてもよい。この場合、行動状態取得部１３１は、接続先の機器の識別情報と行動状態とを対応付けた情報を管理している。
【０２０５】
行動状態取得部１３１が管理する情報においては、例えば、公園に設置されたアクセスポイントの識別情報と行動状態としてのランニングが対応付けられる。また、自宅に設置されたアクセスポイントの識別情報と座っていることが対応付けられ、自宅と最寄り駅の間に設置されたに設置されたアクセスポイントの識別情報と歩いていることが対応付けられる。
【０２０６】
無線通信モジュール１０３は、Wi-Fiなどの無線通信の接続先となる機器を周期的に探索する。行動状態取得部１３１は、撮影時に接続先になっている機器と対応付けて管理している行動状態を、ユーザの現在の行動状態として取得する。これにより、情報処理端末１は、接続先となる機器を探索することでユーザの行動状態を取得することができる。
【０２０７】
・近接された機器の情報を用いた例
上述したように、情報処理端末１は、NFCタグ１０５を内蔵しており、近接された機器と近距離の無線通信を行うことが可能である。撮影を行う前に近接された機器に基づいてユーザの行動状態が取得されるようにしてもよい。この場合、行動状態取得部１３１は、近接された機器の識別情報と行動状態とを対応付けた情報を管理している。
【０２０８】
行動状態取得部１３１が管理する情報においては、例えば、自転車に内蔵されたNFCタグの識別情報と行動状態としての自転車に乗っていることが対応付けられる。また、自宅の椅子に内蔵されたNFCタグの識別情報と座っていることが対応付けられ、ランニングシューズに内蔵されたNFCタグの識別情報とランニングが対応付けられる。
【０２０９】
ユーザは、例えば、情報処理端末１を装着して自転車に乗る前、自転車に内蔵されたNFCタグに情報処理端末１を近接させる。行動状態取得部１３１は、自転車のNFCタグに近接されたことを検出した場合、それ以降、自転車に乗っているものとしてユーザの行動状態を取得する。
【０２１０】
このように、行動状態を取得するための方法として各種の方法を用いることが可能である。
【０２１１】
＜５−４．端末形状の例＞
・装着位置の例
情報処理端末１が首掛け型のウェアラブル端末であるものとしたが、カメラを有する他の形状のウェアラブル端末にも、上述した画角の制御機能を適用可能である。
【０２１２】
図２４は、他の形状の情報処理端末の例を示す図である。
【０２１３】
図２４の携帯端末２１１は、筐体の背面に設けられたクリップなどを用いてユーザの体の任意の位置に装着可能なウェアラブル端末である。図２４の例においては、ユーザの胸付近の位置に携帯端末２１１が取り付けられている。携帯端末２１１の筐体の正面にはカメラ２２１Ａが設けられる。
【０２１４】
携帯端末２１１が手首、足首などの他の位置に装着されるようにしてもよい。頭部より下であり、端末の姿勢が主にユーザの上半身の姿勢によって決まる肩や腰の周りなどの部位に取り付けられる端末にも、上述した画角の制御機能を適用可能である。この場合、取り付けられた位置によって、画角の制御内容が変わるようにしてもよい。
【０２１５】
また、情報処理端末１や携帯端末２１１を、自動車のダッシュボードに取り付けられたマウントや、自転車のハンドルに取り付けられたマウントに装着して利用することができるようにしてもよい。この場合、情報処理端末１や携帯端末２１１は、いわゆるドライブレコーダや障害物センサとして用いられる。
【０２１６】
・雲台に適用した例
カメラの画角を制御する雲台に上述した画角の制御機能を適用するようにしてもよい。
【０２１７】
図２５は、情報処理端末としての雲台の例を示す図である。
【０２１８】
雲台２３１は、クリップなどによりユーザの体に装着可能な雲台である。ユーザは、カメラ２４１を載置した雲台２３１を、胸、肩、手首、足首などの所定の位置に装着する。雲台２３１とカメラ２４１は無線または有線により通信を行うことができる。
【０２１９】
雲台２３１は、行動状態の取得に用いられるセンサデータを検出するセンサの他に、アプリケーションプロセッサを内蔵している。雲台２３１のアプリケーションプロセッサは、所定のプログラムを実行し、図１８を参照して説明した機能を実現する。
【０２２０】
すなわち、雲台２３１は、撮影時、ユーザの行動状態をセンサデータに基づいて取得し、取得した行動状態に応じて、カメラ２４１の角度を調整する。雲台２３１は、角度の調整後に撮影を行わせることによって、カメラ２４１により撮影される画像の画角を制御する。
【０２２１】
このように、撮影機能を有していない雲台などの機器にも上述した画角の制御機能を適用可能である。
【０２２２】
＜５−５．その他の例＞
各行動状態に応じた角度調整に用いるパラメータ（角度）は、設計時のまま固定の値であってもよいし、装着位置の違い、体格差、自転車乗車時の姿勢の違いなどに応じて、適宜変更されるようにしてもよい。
【０２２３】
パラメータの変更は、例えば、歩行時などの定常状態を基準として自動的に行われるようにしてもよいし、ユーザが手動で行うようにしてもよい。
【０２２４】
また、カメラブロックが右側ユニット１２に設けられるものとしたが、左側ユニット１３に設けられるようにしてもよいし、両方に設けられるようにしてもよい。また、レンズ３１が正面を向いているのではなく、横方向に向いた状態で設けられるようにしてもよい。
【０２２５】
撮影を行わない場合にカメラカバー５１がクローズになるものとしたが、撮影によって得られた画像を用いて人物の認識を行い、所定の大きさ以上の大きさで人が写っている場合にカメラカバー５１をクローズにするようにしてもよい。これにより、情報処理端末１を装着しているユーザに人が近づいている場合に、その人を撮影してしまうのを防ぐことができる。
【０２２６】
撮影によって得られる画像の画角を、ユーザが音声によって調整することができるようにしてもよい。
【０２２７】
また、カメラ５２の角度の調整方向を、ロール方向、ピッチ方向、ヨー方向としてもよい。
【０２２８】
上述したように、開口部１２Ａに嵌め込まれるカバー２１は曲面を形成する。このため、カメラ５２により撮影された画像の縁近傍の写りは、中心付近の写りと比べて、解像度が落ちたり、被写体に歪みが生じたりしたものとなる可能性がある。
【０２２９】
撮影された画像に対して画像処理を施すことにより、このような部分的な写りの劣化を防ぐようにしてもよい。カバー２１やレンズ３１の特性を位置に応じて変えることにより、部分的な写りの劣化を光学的に防ぐようにしてもよい。さらに、カメラモジュール５２内の撮像素子の画素ピッチを撮像素子の中央付近と縁近傍とで変えるといったように、撮像素子自体の特性を変えるようにしてもよい。
【０２３０】
右側ユニット１２と左側ユニット１３をバンド部１１に対して着脱可能としてもよい。ユーザは、自分の首周りの長さに合わせた長さのバンド部１１を選択し、右側ユニット１２と左側ユニット１３をバンド部１１に取り付けることで、情報処理端末１を構成することができる。
【０２３１】
＜＜６．情報処理端末の構造の詳細＞＞
次に、情報処理端末１の構造の詳細について説明する。
【０２３２】
図２６および図２７は、情報処理端末１の外観を示す図である。
【０２３３】
図２６の中央に正面視の情報処理端末１の外観を示す。図２６に示すように、情報処理端末１の左側面にはスピーカ穴３０１が形成され、右側面にはスピーカ穴３０２が形成される。
【０２３４】
図２７に示すように、右側ユニット１２の背面には電源ボタン１１１とUSB端子３１１が設けられる。USB端子３１１には例えば樹脂製のカバーが被せられる。
【０２３５】
左側ユニット１３の背面には、各種の設定を行うときに操作されるカスタムボタン３１２と、音量を調整するときに操作される音量ボタン３１３が設けられる。
【０２３６】
また、左側ユニット１３の内側の先端近傍には、図２８に示すようにアシストボタン３１４が設けられる。アシストボタン３１４には、動画の撮影終了などの所定の機能が割り当てられる。カスタムボタン３１２、音量ボタン３１３、およびアシストボタン３１４が、図１７の操作ボタン１０８に相当する。
【０２３７】
図２９は、右側ユニット１２の内部の構成例を示す図である。
【０２３８】
右側ユニット１２は、ベース部材３３１、GPSアンテナ１１５、スピーカボックス３３２、BT/Wi-Fiアンテナ１０４、カメラブロック３３３、基板ブロック３３４、および配線３３５を重ね、外装ケース３４１を被せることによって構成される。
【０２３９】
基板ブロック３３４に接して配置されるスピーカボックス３３２は、基板ブロック３３４の熱を放熱するためにアルミにより成型される。BT/Wi-Fiアンテナ１０４とGPSアンテナ１１５は、スピーカボックス３３２と位置をずらして配置される。
【０２４０】
図３０は、左側ユニット１３の内部の構成例を示す図である。
【０２４１】
左側ユニット１３は、ベース部材３６１、スピーカボックス３６２、NFCアンテナ１０６、バッテリ１１０、および配線３６３を重ね、外装ケース３７１を被せることによって構成される。
【０２４２】
右側ユニット１２内の構成と左側ユニット１３内の構成を繋ぐバンド内フレキシブル配線３５１は、バンド部１１の内部に形成された空洞を通して配置される。バンド部１１はチューブ構造を有している。フレキシブル配線の代わりに、ケーブルハーネスを用いて右側ユニット１２内の構成と左側ユニット１３内の構成が接続されるようにしてもよい。
【０２４３】
図３１は、各構成の配置の例を示す図である。説明の便宜上、図３１においては、構成の詳細な図示を省略している。
【０２４４】
図３１に示すように、右側ユニット１２において、BT/Wi-Fiアンテナ１０４とGPSアンテナ１１５は、スピーカボックス３３２より情報処理端末１の側面に近い位置に設けられる。また、基板ブロック３３４等とバンド内フレキシブル配線３５１を繋ぐ配線３３５は、基板ブロック３３４を避け、右側ユニット１２の外形に沿って配置される。図３１において、配線３３５は太線で示されている。
【０２４５】
一方、左側ユニット１３において、バッテリ１１０等とバンド内フレキシブル配線３５１を繋ぐ配線３６３は、バッテリ１１０を避け、左側ユニット１３の外形に沿って配置される。図３１において、配線３６３は太線で示されている。
【０２４６】
なお、マイクロフォン１１７は例えば４個設けられる。４個のマイクロフォン１１７は、それぞれ、例えば、円で囲んで示す位置Ｐ１１乃至Ｐ１４近傍に設けられる。
【０２４７】
上述したように、近接センサ、生体センサ、皮膚電動マイクロフォンを情報処理端末１に搭載することができる。この場合、人体に近付けられていることを検出する近接センサは、例えば図３１の位置Ｐ２１として示すバンド部１１の位置に設けることができる。
【０２４８】
また、近接センサ、生体センサ、皮膚電動マイクロフォンは、装着したときに首の前方の近くに位置する、位置Ｐ２２，Ｐ２３として示す位置に設けることができる。位置Ｐ２２，Ｐ２３は、右側ユニット１２と左側ユニット１３の膨出部近傍の位置であり、装着時に肌に近くなるためにセンサの感度を向上させることができる。
【０２４９】
図３２は、右側ユニット１２に収納される基板ブロック３３４を示す図である。
【０２５０】
基板ブロック３３４は、基板４０１、基板４０２、基板４０３の３層構造を有している。各基板は図３３に示すように電気的に接続される。
【０２５１】
基板４０１は、信号処理回路１１４のICチップが設けられる基板であり、基板４０２の長さに対して略２／３の長さを有する。基板４０２は、アプリケーションプロセッサ１０１が設けられる基板である。下層の基板４０３は、無線通信モジュール１０３が設けられる基板であり、基板４０２の長さに対して略１／３の長さを有する。
【０２５２】
図３４は、GPSアンテナ１１５の配線例を示す図である。
【０２５３】
図３４に示すように、GPSアンテナ１１５は、ミアンダ配線部分と容量装荷部分を有するFPC(Flexible Printed Circuits)により構成される。このような構成を有するGPSアンテナ１１５は、図３５に示すように、スピーカボックス３３２より情報処理端末１の側面に近い位置に配置される。GPSアンテナ１１５と基板ブロック３３４の基板４０２は配線４１１により接続され、基板４０２のGNDがアンテナ地板として用いられる。
【０２５４】
図３６は、BT/Wi-Fiアンテナ１０４の配線例を示す図である。
【０２５５】
図３６に示すように、BT/Wi-Fiアンテナ１０４は、Ｕターン型の配線を有するFPCにより構成される。このような構成を有するBT/Wi-Fiアンテナ１０４は、図３７に示すように、スピーカボックス３３２と位置をずらして、情報処理端末１の側面に近い位置に配置される。BT/Wi-Fiアンテナ１０４を構成するFPCのGND部分がスピーカボックス３３２上に貼り付けられ、アンテナ地板として用いられる。BT/Wi-Fiアンテナ１０４と基板ブロック３３４の基板４０２は同軸線４１２により接続され、同軸線４１２により給電が行われるようになされている。
【０２５６】
＜＜７．その他＞＞
＜７−１．コンピュータの構成例＞
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０２５７】
図３８は、上述した一連の処理をプログラムにより実行するコンピュータのハードウェアの構成例を示すブロック図である。
【０２５８】
CPU１００１、ROM１００２、RAM１００３は、バス１００４により相互に接続されている。
【０２５９】
バス１００４には、さらに、入出力インタフェース１００５が接続されている。入出力インタフェース１００５には、キーボード、マウスなどよりなる入力部１００６、ディスプレイ、スピーカなどよりなる出力部１００７が接続される。また、入出力インタフェース１００５には、ハードディスクや不揮発性のメモリなどよりなる記憶部１００８、ネットワークインタフェースなどよりなる通信部１００９、リムーバブルメディア１０１１を駆動するドライブ１０１０が接続される。
【０２６０】
以上のように構成されるコンピュータでは、CPU１００１が、例えば、記憶部１００８に記憶されているプログラムを入出力インタフェース１００５及びバス１００４を介してRAM１００３にロードして実行することにより、上述した一連の処理が行われる。
【０２６１】
CPU１００１が実行するプログラムは、例えばリムーバブルメディア１０１１に記録して、あるいは、ローカルエリアネットワーク、インターネット、デジタル放送といった、有線または無線の伝送媒体を介して提供され、記憶部１００８にインストールされる。
【０２６２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。また、複数のコンピュータが連携して上述した処理が行われるようにしてもよい。上述した処理を行う単数または複数のコンピュータから、コンピュータシステムが構成される。
【０２６３】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２６４】
本技術の実施の形態は、上述した実施の形態に限定されるものではなく、本技術の要旨を逸脱しない範囲において種々の変更が可能である。
【０２６５】
例えば、本技術は、１つの機能をネットワークを介して複数の装置で分担、共同して処理するクラウドコンピューティングの構成をとることができる。
【０２６６】
また、上述のフローチャートで説明した各ステップは、１つの装置で実行する他、複数の装置で分担して実行することができる。
【０２６７】
さらに、１つのステップに複数の処理が含まれる場合には、その１つのステップに含まれる複数の処理は、１つの装置で実行する他、複数の装置で分担して実行することができる。
【０２６８】
＜７−２．構成の組み合わせ例＞
本技術は、以下のような構成をとることもできる。
【０２６９】
（１）
ユーザの行動状態を示す行動状態情報を取得する取得部と、
前記行動状態情報に応じて、取得される画像の画角を制御する制御部と
を備える情報処理装置。
（２）
前記制御部は、前記画像を撮影する撮影部が有するレンズの角度、および前記レンズの焦点距離のうちの少なくともいずれかを変えることによって、前記画角を制御する
前記（１）に記載の情報処理装置。
（３）
前記取得部は、センサの検出結果に基づいて、前記ユーザの行動状態を取得する
前記（１）または（２）に記載の情報処理装置。
（４）
前記センサをさらに備え、
前記情報処理装置は前記ユーザの頭部より下の部位に装着される装置である
前記（３）に記載の情報処理装置。
（５）
前記情報処理装置は、湾曲させたバンドで左右のユニットを繋げることによって構成された筐体を有し、前記ユーザの首に掛けて装着される
前記（４）に記載の情報処理装置。
（６）
前記情報処理装置を装着した前記ユーザから見た、前記ユーザの前方を撮影方向に含む撮影部をさらに備える
前記（１）乃至（５）のいずれかに記載の情報処理装置。
（７）
前記制御部は、筐体に形成された開口の内側に配置された前記撮影部が有するレンズの角度を変え、前記画角を制御する
前記（６）に記載の情報処理装置。
（８）
前記制御部は、撮影を行わない場合、前記レンズが前記開口から露出しないように前記撮影部を制御する
前記（７）に記載の情報処理装置。
（９）
前記制御部は、撮影された画像の切り出し範囲を変えることによって、前記画角を制御する
前記（１）に記載の情報処理装置。
（１０）
前記制御部は、直立状態と乗り物に乗っている状態とを少なくとも含む前記行動状態に応じて、前記画角を制御する
前記（１）乃至（９）のいずれかに記載の情報処理装置。
（１１）
前記行動状態は、前記直立状態として歩行状態を含む
前記（１０）に記載の情報処理装置。
（１２）
前記行動状態は、前記乗り物に乗っている状態として、自転車に乗車している状態を含む
前記（１０）に記載の情報処理装置。
（１３）
前記制御部は、前記情報処理装置の姿勢にも基づいて、前記画角を制御する
前記（１）乃至（１２）のいずれかに記載の情報処理装置。
（１４）
前記制御部は、前記情報処理装置の装着位置にも基づいて、前記画角を制御する
前記（１）乃至（１３）のいずれかに記載の情報処理装置。
（１５）
前記制御部は、前記情報処理装置の移動の速さにも基づいて、前記画角を制御する
前記（１）乃至（１４）のいずれかに記載の情報処理装置。
（１６）
前記センサは、慣性センサである
前記（４）に記載の情報処理装置。
（１７）
前記センサは、生体センサである
前記（４）に記載の情報処理装置。
（１８）
ユーザの行動状態を示す行動状態情報を取得し、
前記行動状態情報に応じて、取得される画像の画角を制御する
ステップを含む制御方法。
（１９）
ユーザの行動状態を示す行動状態情報を取得し、
前記行動状態情報に応じて、取得される画像の画角を制御する
ステップを含む処理をコンピュータシステムに実行させるプログラム。
【符号の説明】
【０２７０】
１  情報処理端末，  １１  バンド部，  １２  右側ユニット，  １３  左側ユニット，  ５２  カメラモジュール，  １０１  アプリケーションプロセッサ，  １３１  行動状態取得部，  １３２  画角制御部，  １３３  撮影制御部
【図１】
0006740641.tif 000002
【図２】
0006740641.tif 000003
【図３】
0006740641.tif 000004
【図４】
0006740641.tif 000005
【図５】
0006740641.tif 000006
【図６】
0006740641.tif 000007
【図７】
0006740641.tif 000008
【図８】
0006740641.tif 000009
【図９】
0006740641.tif 000010
【図１０】
0006740641.tif 000011
【図１１】
0006740641.tif 000012
【図１２】
0006740641.tif 000013
【図１３】
0006740641.tif 000014
【図１４】
0006740641.tif 000015
【図１５】
0006740641.tif 000016
【図１６】
0006740641.tif 000017
【図１７】
0006740641.tif 000018
【図１８】
0006740641.tif 000019
【図１９】
0006740641.tif 000020
【図２０】
0006740641.tif 000021
【図２１】
0006740641.tif 000022
【図２２】
0006740641.tif 000023
【図２３】
0006740641.tif 000024
【図２４】
0006740641.tif 000025
【図２５】
0006740641.tif 000026
【図２６】
0006740641.tif 000027
【図２７】
0006740641.tif 000028
【図２８】
0006740641.tif 000029
【図２９】
0006740641.tif 000030
【図３０】
0006740641.tif 000031
【図３１】
0006740641.tif 000032
【図３２】
0006740641.tif 000033
【図３３】
0006740641.tif 000034
【図３４】
0006740641.tif 000035
【図３５】
0006740641.tif 000036
【図３６】
0006740641.tif 000037
【図３７】
0006740641.tif 000038
【図３８】
0006740641.tif 000039